(57)【要約】【課題】操作者に対して貨幣の入出金に関する練習を効率良く行わせること。【解決手段】貨幣入出金機１００は、操作者による練習開始操作を受け付けた場合に、通常の入出金とは異なる練習モードを開始し（１）、練習用の収納カセット３００を受け付けると、ＩＣタグ３０４から貨幣数量データを読み出し（２）、操作表示部への表示に用いる。また、貨幣入出金機１００は、収納カセット３００から貨幣を繰り出して内部に収納する入金処理を実行する（３）。練習モードでは、ＩＣタグ３０４から読み出した貨幣数量データと収納カセット３００から繰り出した貨幣との比較を行わず、売上データへの反映も行わない。また、貨幣の搬送先も必要に応じて変更する。【選択図】図１
2019049775.tif 000002
【特許請求の範囲】
【請求項１】
貨幣の入出金が可能な貨幣処理装置であって、
操作者による操作の受付及び所定の表示を行う操作表示部と、
前記操作表示部から練習用貨幣出金操作を受け付けた場合に、該練習用貨幣出金操作に含まれる出金情報に基づいて所定の練習用データを更新し、前記操作表示部から練習用貨幣入金操作を受け付けた場合に、少なくとも前記練習用データに基づいて前記操作表示部の表示制御を行う制御部と
を備えたことを特徴とする貨幣処理装置。
【請求項２】
前記制御部は、
前記操作表示部から練習用貨幣出金操作を受け付けた場合に、該練習用貨幣出金操作に含まれる出金情報に基づいて、所定の装着部に着脱可能に装着された貨幣カセットに付設された記憶媒体に記憶された所定の練習用データを更新し、前記操作表示部から練習用貨幣入金操作を受け付けた場合に、少なくとも前記記憶媒体に記憶された練習用データに基づいて前記操作表示部の表示制御を行う
ことを特徴とする請求項１に記載の貨幣処理装置。
【請求項３】
前記制御部は、
前記操作表示部から練習用貨幣出金操作を受け付け、所定の貨幣収納部から前記貨幣カセットに所定数の貨幣が搬送された場合に、該搬送された貨幣とは無関係に、前記練習用貨幣出金操作に含まれる出金情報に基づいて、前記記憶媒体に記憶された所定の練習用データを更新する
ことを特徴とする請求項２に記載の貨幣処理装置。
【請求項４】
前記制御部は、
前記操作表示部から練習用貨幣入金操作を受け付け、前記貨幣カセットから前記貨幣収納部に所定数の貨幣を搬送された場合に、該搬送された貨幣とは無関係に、少なくとも前記記憶媒体に記憶された練習用データに基づいて前記操作表示部の表示制御を行う
ことを特徴とする請求項３に記載の貨幣処理装置。
【請求項５】
前記制御部は、前記練習用貨幣入金操作を受け付けて前記貨幣カセットから貨幣を搬送する場合と、前記練習用貨幣入金操作を受け付けることなく前記貨幣カセットから貨幣を搬送する場合とで、少なくとも特定の金種の貨幣について搬送先を異ならせることを特徴とする請求項４に記載の貨幣処理装置。
【請求項６】
前記制御部は、前記練習用貨幣入金操作を受け付けることなく前記貨幣カセットから貨幣を搬送した場合に所定の貨幣量管理データを更新し、前記練習用貨幣入金操作を受け付けて前記貨幣カセットから貨幣を搬送した場合には前記所定の貨幣量管理データを更新しないことを特徴とする請求項４又は５に記載の貨幣処理装置。
【請求項７】
前記貨幣カセットに付設された記憶媒体は、前記貨幣カセットに収納された貨幣を示すカセット内貨幣データを格納し、
前記制御部は、前記操作表示部から練習用貨幣出金操作を受け付けた場合に、前記カセット内貨幣データを前記所定の練習用データとして用いる
ことを特徴とする請求項２乃至６のいずれか一つに記載の貨幣処理装置。
【請求項８】
前記制御部は、
前記操作表示部から練習用貨幣出金操作を受け付けた場合に、該練習用貨幣出金操作に含まれる出金情報に基づいて、自装置の所定の記憶部に記憶された所定の練習用データを更新し、前記操作表示部から練習用貨幣入金操作を受け付けた場合に、少なくとも前記記憶部に記憶された練習用データに基づいて前記操作表示部の表示制御を行う
ことを特徴とする請求項１に記載の貨幣処理装置。
【請求項９】
前記制御部は、
前記操作表示部から操作者による練習を開始する所定の練習開始操作と貨幣の出金を行う所定の貨幣出金操作とを受け付けたことを条件として、前記操作表示部から練習用貨幣出金操作を受け付けたものとして、該練習用貨幣出金操作に含まれる出金情報に基づいて所定の練習用データを更新し、前記操作表示部から操作者による練習を開始する所定の練習開始操作と貨幣の入金を行う所定の貨幣入金操作とを受け付けたことを条件として、前記操作表示部から練習用貨幣入金操作を受け付けたものとして、少なくとも前記練習用データに基づいて前記操作表示部の表示制御を行う
ことを特徴とする請求項１乃至８のいずれか一つに記載の貨幣処理装置。
【請求項１０】
貨幣カセットを用いた貨幣の出金が可能な第１の貨幣処理装置と、前記貨幣カセットを用いた貨幣の入金が可能な第２の貨幣処理装置とを有する貨幣処理システムであって、
前記第１の貨幣処理装置は、
操作者による操作の受付及び所定の表示を行う第１の操作表示部と、
前記第１の操作表示部から練習用貨幣出金操作を受け付けた場合に、該練習用貨幣出金操作に含まれる出金情報に基づいて、所定の装着部に着脱可能に装着された貨幣カセットに付設された記憶媒体に記憶された所定の練習用データを更新するよう制御する第１の制御部と
を備え、
前記第２の貨幣処理装置は、
前記操作者による操作の受付及び所定の表示を行う第２の操作表示部と、
前記第２の操作表示部から練習用貨幣入金操作を受け付けた場合に、少なくとも前記記憶媒体に記憶された練習用データに基づいて前記第２の操作表示部の表示制御を行う第２の制御部と
を備えたことを特徴とする貨幣処理システム。
【請求項１１】
操作者による操作の受付及び所定の表示を行う操作表示部を有し、貨幣の入出金が可能な貨幣処理装置における貨幣処理方法であって、
前記操作表示部から練習用貨幣出金操作を受け付けた場合に、該練習用貨幣出金操作に含まれる出金情報に基づいて所定の練習用データを更新する第１の制御工程と、
前記操作表示部から練習用貨幣入金操作を受け付けた場合に、少なくとも前記練習用データに基づいて前記操作表示部の表示制御を行う第２の制御工程と
を含んだことを特徴とする貨幣処理方法。
【発明の詳細な説明】
【技術分野】
【０００１】
本発明は、操作者に対して貨幣の入出金に関する練習を効率良く行わせることができる貨幣処理装置、貨幣処理システム及び貨幣処理方法に関する。
【背景技術】
【０００２】
従来、スーパーマーケットや百貨店等の商業施設には、商業施設内の各レジに釣銭機と呼ばれる貨幣処理装置が配設されている。この釣銭機は、ＰＯＳ（Point OF Sales）レジスタと接続され、操作者であるレジ担当者が顧客から受け渡された貨幣を収納するとともに、顧客に返却する釣銭となる貨幣を払い出す装置である。
【０００３】
かかる釣銭機は、貨幣詰まり等のエラーが生ずる場合があるため、操作者にエラー解除手順をトレーニングさせることが可能な従来技術が知られている。例えば、特許文献１には、操作者に体験させる搬送部に係るエラーの発生通知を受け付けたならば、搬送部による貨幣の搬送を禁止し、搬送部に係るエラーが発生したことを通知するよう構成した入出金装置（釣銭機）が開示されている。この特許文献１によれば、貨幣を搬送することなく、エラー状態の解除方法を容易にトレーニング（練習）させることができる。
【先行技術文献】
【特許文献】
【０００４】
【特許文献１】特開２０１７−５８８６０号公報
【発明の概要】
【発明が解決しようとする課題】
【０００５】
しかしながら、上記特許文献１のものは、貨幣詰まり等の搬送部に係るエラーに対するトレーニングしか行うことができず、操作者に他の練習をさせることができないという問題がある。
【０００６】
例えば、商業施設には、釣銭機から回収された売上金を収納するとともに、釣銭機に装填するための釣銭準備金を出金する貨幣入出金機又は売上金入出金機と呼ばれる貨幣処理装置が配設されることが多い。このため、釣銭機から出金した売上金を貨幣入出金機に入金する練習や、貨幣入出金機から出金した釣銭準備金を釣銭機に入金する練習等を操作者に対して行わせる必要がある。また、かかる練習は、釣銭機単体として、又は、貨幣入出金機単体として行わせたいというニーズもある。しかし、上記特許文献１を用いたとしても、操作者にかかる練習を行わせる場合に適用することはできない。
【０００７】
このため、操作者に対して貨幣の入出金に関する練習を効率良く行わせるかが重要な課題となっている。かかる課題は、釣銭機及び売上金入出金機だけではなく、ＡＴＭ（Automatic Teller Machine）等の他の貨幣処理装置においても同様に生ずる課題である。
【０００８】
本発明は、上記従来技術の課題を解決するためになされたものであって、操作者に対して貨幣の入出金に関する練習を効率良く行わせることができる貨幣処理装置、貨幣処理システム及び貨幣処理方法を提供することを目的とする。
【課題を解決するための手段】
【０００９】
上述した課題を解決し、目的を達成するため、本発明は、貨幣の入出金が可能な貨幣処理装置であって、操作者による操作の受付及び所定の表示を行う操作表示部と、前記操作表示部から練習用貨幣出金操作を受け付けた場合に、該練習用貨幣出金操作に含まれる出金情報に基づいて所定の練習用データを更新し、前記操作表示部から練習用貨幣入金操作を受け付けた場合に、少なくとも前記練習用データに基づいて前記操作表示部の表示制御を行う制御部とを備えたことを特徴とする。
【００１０】
また、本発明は、上記の発明において、前記制御部は、前記操作表示部から練習用貨幣出金操作を受け付けた場合に、該練習用貨幣出金操作に含まれる出金情報に基づいて、所定の装着部に着脱可能に装着された貨幣カセットに付設された記憶媒体に記憶された所定の練習用データを更新し、前記操作表示部から練習用貨幣入金操作を受け付けた場合に、少なくとも前記記憶媒体に記憶された練習用データに基づいて前記操作表示部の表示制御を行うことを特徴とする。
【００１１】
また、本発明は、上記の発明において、前記制御部は、前記操作表示部から練習用貨幣出金操作を受け付け、所定の貨幣収納部から前記貨幣カセットに所定数の貨幣が搬送された場合に、該搬送された貨幣とは無関係に、前記練習用貨幣出金操作に含まれる出金情報に基づいて、前記記憶媒体に記憶された所定の練習用データを更新することを特徴とする。
【００１２】
また、本発明は、上記の発明において、前記制御部は、前記操作表示部から練習用貨幣入金操作を受け付け、前記貨幣カセットから前記貨幣収納部に所定数の貨幣を搬送された場合に、該搬送された貨幣とは無関係に、少なくとも前記記憶媒体に記憶された練習用データに基づいて前記操作表示部の表示制御を行うことを特徴とする。
【００１３】
また、本発明は、上記の発明において、前記制御部は、前記練習用貨幣入金操作を受け付けて前記貨幣カセットから貨幣を搬送する場合と、前記練習用貨幣入金操作を受け付けることなく前記貨幣カセットから貨幣を搬送する場合とで、少なくとも特定の金種の貨幣について搬送先を異ならせることを特徴とする。
【００１４】
また、本発明は、上記の発明において、前記制御部は、前記練習用貨幣入金操作を受け付けることなく前記貨幣カセットから貨幣を搬送した場合に所定の貨幣量管理データを更新し、前記練習用貨幣入金操作を受け付けて前記貨幣カセットから貨幣を搬送した場合には前記所定の貨幣量管理データを更新しないことを特徴とする。
【００１５】
また、本発明は、上記の発明において、前記貨幣カセットに付設された記憶媒体は、前記貨幣カセットに収納された貨幣を示すカセット内貨幣データを格納し、前記制御部は、前記操作表示部から練習用貨幣出金操作を受け付けた場合に、前記カセット内貨幣データを前記所定の練習用データとして用いることを特徴とする。
【００１６】
また、本発明は、上記の発明において、前記制御部は、前記操作表示部から練習用貨幣出金操作を受け付けた場合に、該練習用貨幣出金操作に含まれる出金情報に基づいて、自装置の所定の記憶部に記憶された所定の練習用データを更新し、前記操作表示部から練習用貨幣入金操作を受け付けた場合に、少なくとも前記記憶部に記憶された練習用データに基づいて前記操作表示部の表示制御を行うことを特徴とする。
【００１７】
また、本発明は、上記の発明において、前記制御部は、前記操作表示部から操作者による練習を開始する所定の練習開始操作と貨幣の出金を行う所定の貨幣出金操作とを受け付けたことを条件として、前記操作表示部から練習用貨幣出金操作を受け付けたものとして、該練習用貨幣出金操作に含まれる出金情報に基づいて所定の練習用データを更新し、前記操作表示部から操作者による練習を開始する所定の練習開始操作と貨幣の入金を行う所定の貨幣入金操作とを受け付けたことを条件として、前記操作表示部から練習用貨幣入金操作を受け付けたものとして、少なくとも前記練習用データに基づいて前記操作表示部の表示制御を行うことを特徴とする。
【００１８】
また、本発明は、貨幣カセットを用いた貨幣の出金が可能な第１の貨幣処理装置と、前記貨幣カセットを用いた貨幣の入金が可能な第２の貨幣処理装置とを有する貨幣処理システムであって、前記第１の貨幣処理装置は、操作者による操作の受付及び所定の表示を行う第１の操作表示部と、前記第１の操作表示部から練習用貨幣出金操作を受け付けた場合に、該練習用貨幣出金操作に含まれる出金情報に基づいて、所定の装着部に着脱可能に装着された貨幣カセットに付設された記憶媒体に記憶された所定の練習用データを更新するよう制御する第１の制御部とを備え、前記第２の貨幣処理装置は、前記操作者による操作の受付及び所定の表示を行う第２の操作表示部と、前記第２の操作表示部から練習用貨幣入金操作を受け付けた場合に、少なくとも前記記憶媒体に記憶された練習用データに基づいて前記第２の操作表示部の表示制御を行う第２の制御部とを備えたことを特徴とする。
【００１９】
また、本発明は、操作者による操作の受付及び所定の表示を行う操作表示部を有し、貨幣の入出金が可能な貨幣処理装置における貨幣処理方法であって、前記操作表示部から練習用貨幣出金操作を受け付けた場合に、該練習用貨幣出金操作に含まれる出金情報に基づいて所定の練習用データを更新する第１の制御工程と、前記操作表示部から練習用貨幣入金操作を受け付けた場合に、少なくとも前記練習用データに基づいて前記操作表示部の表示制御を行う第２の制御工程とを含んだことを特徴とする。
【発明の効果】
【００２０】
本発明によれば、操作者に対して貨幣の入出金に関する練習を効率良く行わせることができる。
【図面の簡単な説明】
【００２１】
【図１】図１は、本実施例１に係る貨幣入出金機の概念を説明するための説明図である。
【図２】図２は、貨幣入出金機の外観を示す斜視図である。
【図３】図３は、図２に示した貨幣入出金機における紙幣処理ユニットの内部構成を示す図である。
【図４】図４は、図２に示した貨幣入出金機における硬貨処理ユニットの内部構成を示す図である。
【図５】図５は、図２に示した貨幣入出金機の機能ブロック図である。
【図６】図６は、図１に示した収納カセットの外観を示す斜視図である。
【図７】図７は、貨幣入出金機の出金処理についての説明図である。
【図８】図８は、貨幣入出金機の入金処理についての説明図である。
【図９】図９は、貨幣入出金機における練習モードの処理手順を示すフローチャートである。
【図１０】図１０は、図９に示した出金練習処理の詳細な処理手順を示すフローチャートである。
【図１１】図１１は、図９に示した入金練習処理の詳細な処理手順を示すフローチャートである。
【図１２】図１２は、練習モードにおける操作表示部の表示画面についての説明図である。
【図１３】図１３は、練習メニュー画面についての説明図である。
【図１４】図１４は、貨幣入出金機と釣銭機とを連携させて入出金の練習を行う場合についての説明図である。
【図１５】図１５は、貨幣処理システムにおける釣銭機及びＰＯＳレジスタの外観を示す斜視図である。
【図１６】図１６は、図１５に示した釣銭機における紙幣処理ユニットの内部構成を示す図である。
【図１７】図１７は、図１５に示した釣銭機における硬貨処理ユニットの内部構成を示す図である。
【図１８】図１８は、図１５に示した釣銭機及びＰＯＳレジスタの機能ブロック図である。
【発明を実施するための形態】
【００２２】
以下、添付図面を参照して、本発明に係る貨幣処理装置、貨幣処理システム及び貨幣処理方法の好適な実施例を詳細に説明する。
【実施例１】
【００２３】
＜貨幣入出金機の概念＞
まず、本実施例１に係る貨幣入出金機の概念について説明する。図１は、本実施例１に係る貨幣入出金機の概念を説明するための説明図である。図１に示す貨幣入出金機１００は、釣銭機２００とともに店舗に設置される貨幣処理装置である。
【００２４】
釣銭機２００は、スーパーマーケットやコンビニエンスストア等の商業施設の店舗において、商品棚が設置されるフロント領域のレジに設置され、商品と引き換えに顧客からレジ担当者に手渡された貨幣の入金処理を行うとともに、釣銭としての貨幣の出金処理を行う装置である。
【００２５】
貨幣入出金機１００は、店舗のバックヤード領域に設置され、釣銭機２００から回収された売上金の入金処理を行うとともに、釣銭機２００に補充されるべき釣銭準備金の出金処理を行う貨幣処理装置である。
【００２６】
釣銭機２００及び貨幣入出金機１００は、それぞれ収納カセット３００を装着することが可能である。担当者が釣銭機２００から売上金を回収する場合には、釣銭機２００が収納カセット３００に売上金としての紙幣を収納した後、収納カセット３００を取り外し、取り外した収納カセット３００を担当者が持参して貨幣入出金機１００の場所に移動する。その後、収納カセット３００を貨幣入出金機１００に装着すると、貨幣入出金機１００が収納カセット３００から紙幣を繰り出して入金処理する。また、釣銭機２００に釣銭準備金を補充する場合には、貨幣入出金機１００が収納カセット３００に釣銭準備金としての紙幣を収納した後、収納カセット３００を取り外し、取り外した収納カセット３００を担当者が持参して釣銭機２００の場所に移動する。その後、収納カセット３００を釣銭機２００に装着すると、釣銭機２００が収納カセット３００から紙幣を繰り出して入金処理する。
【００２７】
収納カセット３００には、不揮発性の記憶部を有するＩＣ（Integrated Circuit）タグ３０４が付設されている。貨幣入出金機１００及び釣銭機２００は、ＩＣタグ３０４へのデータの書き込みと、ＩＣタグ３０４からのデータの読み出しが可能であり、収納カセット３００に貨幣を収納する場合には収納した貨幣の金種及び数量を示す貨幣数量データをＩＣタグ３０４に書き込む。そして、収納カセット３００から貨幣を繰り出した場合にはＩＣタグ３０４から貨幣数量データを読み出し、繰り出した貨幣の金種及び数量と一致するか否かを判定する。
【００２８】
このように、貨幣入出金機１００は、収納カセット３００を介して入出金を行うことで釣銭機２００と連携し、釣銭機２００からの売上金の回収と釣銭機２００への釣銭準備金の補充とを貨幣に直接触れることなく行うことができる。
【００２９】
ここで、貨幣入出金機１００の操作を練習する場合や、貨幣入出金機１００のデモンストレーションを行う場合などには、釣銭機２００との連携が必須であると効率的な練習等を行うことができないため、貨幣入出金機１００単体で練習等を行わせたいというニーズがある。また、練習やデモンストレーションにおける入出金が売上金に算入されたならば、売上の管理を正確に行うことができない。
【００３０】
そこで、貨幣入出金機１００は、釣銭機２００を必要とせず、また、売上の管理に影響を与えることなく入出金処理を行う機能を有する。
【００３１】
具体的には、貨幣入出金機１００は、操作者による練習開始操作を受け付けた場合に、通常の入出金とは異なる練習モードを開始する（１）。この練習モードでは、貨幣入出金機１００は、練習用の収納カセット３００を受け付けて入金処理を行うことができる。
【００３２】
収納カセット３００は、ＩＣタグ３０４に練習フラグを格納しており、この練習フラグが「オン」に設定されることで、練習用の収納カセット３００として扱われる。練習用の収納カセット３００においては、ＩＣタグ３０４の貨幣数量データは任意の値に設定可能であり、収納カセット３００に実際に収納されている貨幣の数量と不一致であってもよい。すなわち、練習フラグが「オン」である場合には、ＩＣタグ３０４の貨幣数量データは、練習用データとして用いられることになる。図１では、ＩＣタグ３０４の貨幣数量データが２７００００円分の貨幣を示し、実際に収納カセット３００に収納されている貨幣の金額が１６０００円である状態を示している。
【００３３】
貨幣入出金機１００は、練習用の収納カセット３００を受け付けると、ＩＣタグ３０４から貨幣数量データを読み出し（２）、練習用の貨幣数量データとして操作表示部への表示に用いる。このため、釣銭機２００から回収した貨幣の入金時と同様の表示制御を実現し、練習やデモンストレーションを行わせることができる。また、貨幣入出金機１００は、収納カセット３００から貨幣を繰り出して内部に収納する入金処理を実行する（３）。
【００３４】
貨幣入出金機１００は、釣銭機２００から回収した貨幣の入金時には、五千円札と千円札をそれぞれ対応する紙幣収納部に搬送し、一万円札を回収カセットに搬送する。一方、練習モードでの入金時には、五千円札と千円札をそれぞれ対応する紙幣収納部に搬送する点は同様であるが、回収カセットは使用せず、一万円札はリジェクト部に搬送する。回収カセットに収納された貨幣は、警送会社等の管理対象であり、店舗の操作者が取り出すことができないからである。なお、練習モードでの入金時には高額紙幣である一万円札を利用しないよう設定することも可能である。
【００３５】
また、練習モードでは、ＩＣタグ３０４から読み出した練習用の貨幣数量データと収納カセット３００から繰り出した貨幣との比較を行わず、売上データへの反映も行わない点が釣銭機２００から回収した貨幣の入金時と異なる。ただし、収納した貨幣に基づく貨幣入出金機１００における在高の更新は、釣銭機２００から回収した貨幣の入金時と同様に実行する。
【００３６】
このように、貨幣入出金機１００は、練習開始操作後の収納カセット３００の装着を練習用貨幣入金操作として受け付け、収納カセット３００に付設されたＩＣタグ３０４の貨幣数量データを練習用データとして用いて、操作表示部への表示制御を行なうことで、操作者に対して貨幣の入金に関する練習を効率良く行わせることができる。また、貨幣入出金機１００は、練習用貨幣出金操作を受け付けた場合には、練習用貨幣出金操作に含まれる出金情報に基づいて練習用データを更新することで、操作者に対して貨幣の出金に関する練習を効率良く行わせることが可能であるが、この出金に関する練習の詳細については後述する。
【００３７】
＜貨幣入出金機１００の構成＞
次に、貨幣入出金機１００の構成について図２〜図５を用いて説明する。図２等に示すように、本実施例に係る貨幣入出金機１００は、略直方体形状の筐体１０１を備えており、この筐体１０１の内部には、紙幣の入金処理及び出金処理を行う紙幣処理ユニット１１０、硬貨の入金処理及び出金処理を行う硬貨処理ユニット１５０、及び包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０及び硬貨処理ユニット１５０は、貨幣入出金機１００を手前側から見て左右に並ぶよう配置されており、これらの紙幣処理ユニット１１０及び硬貨処理ユニット１５０の下方に包装硬貨収納ユニット１８０が配置されている。
【００３８】
図２及び図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図３において、筐体１０１の右側の側面が紙幣処理ユニット１１０の手前側の面であり、図３における左向きの方向が紙幣処理ユニット１１０の奥行き方向である。
【００３９】
図３に示すように、搬送部１３０は、筐体１０１の上部における中央位置に配置された周回搬送部１３０ａ及び複数の接続搬送部１３０ｂから構成されている。また、紙幣受入部１２０、紙幣払出部１２２、リジェクト部１２４、収納カセット３００を着脱自在に装着可能なカセット装着部１２６、回収カセット１４０及び２つの紙幣収納部１３４、１３６が、それぞれ、周回搬送部１３０ａを取り囲むよう配置されている。
【００４０】
また、図３に示すように、複数の接続搬送部１３０ｂの各々により、紙幣受入部１２０、紙幣払出部１２２、リジェクト部１２４、カセット装着部１２６、回収カセット１４０及び２つの紙幣収納部１３４、１３６の各々と、周回搬送部１３０ａとの間がそれぞれ接続されている。また、周回搬送部１３０ａには識別部１３２が設けられており、この識別部１３２は、周回搬送部１３０ａにより搬送される紙幣の金種、真偽、正損、表裏、搬送状態等の識別を行う。
【００４１】
周回搬送部１３０ａは、図３における時計回りの方向及び反時計回りの方向の両方向に紙幣を１枚ずつ搬送することができる。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００４２】
図２及び図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたり、このカセット装着部１２６から収納カセット３００を取り出したりすることができる。
【００４３】
また、図５に示すように、カセット装着部１２６には、当該カセット装着部１２６に装着された収納カセット３００に付設されたＩＣタグ３０４に様々な情報を書き込む書込部１２８及びこのＩＣタグ３０４から様々な情報を読み取る読取部１２９が設けられている。書込部１２８によりＩＣタグ３０４に書き込まれる情報や読取部１２９によりＩＣタグ３０４から読み取られる情報の詳細については後述するが、このＩＣタグ３０４のメモリには収納カセット３００に収納された金種ごとの紙幣の枚数が記憶される。
【００４４】
紙幣受入部１２０には紙幣繰出機構１２１が設けられており、紙幣受入口１２０ａに１枚あるいは複数枚の紙幣が投入されたことが検知されると、紙幣繰出機構１２１が駆動されることにより、紙幣が接続搬送部１３０ｂを介して周回搬送部１３０ａ側へ１枚ずつ繰り出される。
【００４５】
紙幣払出部１２２は、各紙幣収納部１３４、１３６から周回搬送部１３０ａに繰り出された紙幣を紙幣取出口１２２ａにより筐体１０１の外部へ放出する。
【００４６】
リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納する。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却される。
【００４７】
さらに、リジェクト部１２４は、練習モードにおいて収納カセット３００から繰り出された一万円札の搬送先として用いられる。
【００４８】
各紙幣収納部１３４、１３６は、識別部１３２の識別結果に基づいて紙幣を金種別に収納する。これらの紙幣収納部１３４、１３６には、釣銭機２００への釣銭準備金の紙幣として貨幣入出金機１００から出金されるべき紙幣が収納される。例えば、紙幣収納部１３４には千円札が収納され、紙幣収納部１３６には五千円札が収納される。なお、一万円札は後述する回収カセット１４０に収納される。また、各紙幣収納部１３４、１３６には、それぞれ紙幣繰出機構１３５、１３７が設けられており、これらの紙幣収納部１３４、１３６に収納されている紙幣は、各紙幣繰出機構１３５、１３７により接続搬送部１３０ｂを介して周回搬送部１３０ａ側へ１枚ずつ繰り出される。
【００４９】
筐体１０１の内部における下部領域には回収カセット１４０が収容されており、警送会社により回収されるべき紙幣が回収カセット１４０に収納される。具体的には、識別部１３２により識別された紙幣が周回搬送部１３０ａから接続搬送部１３０ｂを経て回収カセット１４０に送られる。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができる。
【００５０】
次に、硬貨処理ユニット１５０の構成について説明する。図２及び図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００５１】
硬貨受入部１５２は、硬貨投入口を介して受け入れた硬貨を１層１列状態で１枚ずつ筐体１０１内に取り込む。具体的には、硬貨受入部１５２には繰出ベルト等からなる硬貨繰出機構１５３（図５参照）が設けられており、硬貨受入部１５２に受け入れられた硬貨を検知するとこの硬貨繰出機構１５３が駆動されることにより、当該硬貨繰出機構１５３によって硬貨が筐体１０１の内部に１枚ずつ繰り出される。また、図４に示すように、硬貨受入部１５２には、当該硬貨受入部１５２により筐体１０１の内部に繰り出された硬貨を搬送する入金搬送部１５４が接続されている。
【００５２】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、硬貨払出部１６６から払い出されるべき硬貨（リジェクト硬貨等）を入金搬送部１５４から分岐させて出金搬送部１６２へ案内する。
【００５３】
一方、筐体１０１内に収納されるべき硬貨（正常硬貨等）は、入金搬送部１５４により各収納繰出部１６０へ搬送される。収納繰出部１６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図４における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構（図示せず）が設けられている。
【００５４】
出金搬送部１６２は、収納繰出部１６０から繰り出された硬貨を硬貨払出部１６６へ搬送する。また、出金搬送部１６２は、第１分岐部１５８により入金搬送部１５４から分岐させられたリジェクト硬貨等を硬貨払出部１６６へ搬送する。
【００５５】
筐体１０１の内部における下部領域には回収カセット１７０が収容されており、警送会社により回収されるべき硬貨が回収カセット１７０に収納される。具体的には、図４に示すように、出金搬送部１６２の途中箇所には第２分岐部１６４が設けられており、当該第２分岐部１６４により出金搬送部１６２から分岐させられた硬貨が回収カセット１７０に送られて、この回収カセット１７０に収納される。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができる。
【００５６】
＜貨幣入出金機１００の制御系の構成＞
次に、貨幣入出金機１００の制御系の構成について説明する。図５は、貨幣入出金機１００における制御系の構成を示すブロック図である。図５に示すように、貨幣入出金機１００の筐体１０１の内部には制御部１０２が設けられており、当該制御部１０２により紙幣処理ユニット１１０、硬貨処理ユニット１５０及び包装硬貨収納ユニット１８０の各々の構成部位が制御される。
【００５７】
具体的には、制御部１０２には、紙幣処理ユニット１１０の紙幣繰出機構１２１、搬送部１３０、識別部１３２、紙幣繰出機構１３５、１３７、カセット装着部１２６、書込部１２８、読取部１２９等が接続されており、識別部１３２による紙幣の識別情報や、収納カセット３００に設けられたＩＣタグ３０４から読取部１２９により読み取られた情報が制御部１０２に送られるとともに、制御部１０２は紙幣処理ユニット１１０の各構成部位に指令信号を送ることにより、これらの構成部位の制御を行う。
【００５８】
また、制御部１０２には、硬貨処理ユニット１５０の硬貨繰出機構１５３、入金搬送部１５４、識別部１５６、第１分岐部１５８、各収納繰出部１６０、出金搬送部１６２及び第２分岐部１６４等が接続されており、識別部１５６による硬貨の識別情報が制御部１０２に送られるとともに、制御部１０２は硬貨処理ユニット１５０の各構成部位に指令信号を送ることにより、これらの構成部位の制御を行う。
【００５９】
また、制御部１０２には、包装硬貨収納ユニット１８０のロック機構１８４及び重量計１８６等が接続されており、重量計１８６による包装硬貨の測定結果が制御部１０２に送られるとともに、制御部１０２はロック機構１８４に指令信号を送ることにより当該ロック機構１８４の制御を行う。
【００６０】
ロック機構１８４は、包装硬貨収納ユニット１８０の引出部を筐体１０１の内部にロックする機構であり、引出部が筐体１０１の内部にロックされている状態では当該引出部を筐体１０１の内部から手前側に引き出すことができず、包装硬貨の収納や取出しが制限される。重量計１８６は、包装硬貨収納ユニット１８０に収納されている包装硬貨の重量を測定する。このような重量計１８６により測定される包装硬貨の重量に基づいて、制御部１０２において包装硬貨収納ユニット１８０に収納されている包装硬貨の数が検知される。
【００６１】
また、図５に示すように、制御部１０２には、操作表示部１０４、通信部１０５及び記憶部１０６がそれぞれ接続されている。操作表示部１０４は、筐体１０１の上部に設けられたタッチパネル等からなり、操作者が操作するための操作画面や、紙幣処理ユニット１１０、硬貨処理ユニット１５０及び包装硬貨収納ユニット１８０の各々に収納されている貨幣の在高に係る情報が操作表示部１０４に表示される。また、このような操作表示部１０４において操作者は操作画面における操作ボタンに指を触れることによって制御部１０２に様々な指令を入力することができる。通信部１０５は、店舗の内外に設けられた各種装置と信号の送受信を行うことができる。
【００６２】
記憶部１０６は、不揮発性のメモリ等からなる記憶デバイスであり、在高データ１０６ａ、売上データ１０６ｂ及び練習用売上データ１０６ｃを記憶する。在高データ１０６ａは、紙幣処理ユニット１１０、硬貨処理ユニット１５０、包装硬貨収納ユニット１８０、回収カセット１４０及び回収カセット１７０の各々に収納されている貨幣の在高を示す。売上データ１０６ｂは、釣銭機２００から回収された売上金や、売上金の回収時に収納カセット３００のＩＣタグ３０４から読み取ったデータに基づいて、店舗の売上を管理するデータである。練習用売上データ１０６ｃは、練習モードで表示するために用いられる便宜上の売上を示す。練習用売上データ１０６ｃは、売上データ１０６ｂと一致する必要は無く、任意に設定可能である。また、練習モードにおける入金処理によって更新することもできる。
【００６３】
さらに、制御部１０２は、練習操作受付部１０２ａ、出金練習処理部１０２ｂ及び入金練習処理部１０２ｃを有する。練習操作受付部１０２ａは、操作者による練習開始操作を受け付けて練習モードを開始し、操作者による練習終了操作を受け付けて練習モードを終了する処理を行う。
【００６４】
出金練習処理部１０２ｂは、練習モードにおける出金処理を行う処理部である。出金練習処理部１０２ｂは、練習モードにおいて行われた出金操作を練習用貨幣出金操作として受け付けて練習用の出金処理を開始する。この練習モードにおける出金処理では、出金練習処理部１０２ｂは、ＩＣタグ３０４の練習フラグを「オン」にセットし、貨幣入出金機１００から収納カセット３００に貨幣を搬送し、ＩＣタグ３０４に収納カセットの在高（練習用の貨幣数量データ）を書き込む。収納カセットの実際の在高は、貨幣入出金機１００から搬送した貨幣に対応するが、ＩＣタグ３０４に書き込む在高は練習用の貨幣数量データとして用いるため、収納カセット３００の実際の在高と一致する必要は無く、例えば操作者から入力された出金情報により決定することができる。ただし、貨幣入出金機１００の在高データ１０６ａは、収納カセット３００に実際に搬送した貨幣の金種及び枚数により更新する。
【００６５】
入金練習処理部１０２ｃは、練習モードにおける入金処理を行う処理部である。入金練習処理部１０２ｃは、練習モードにおいて行われた入金操作（例えば収納カセット３００の装着）を入金用貨幣出金操作として受け付けて練習用の入金処理を開始する。この練習モードにおける入金処理では、入金練習処理部１０２ｃは、収納カセット３００のＩＣタグ３０４の練習フラグが「オン」であることを条件として、収納カセット３００から貨幣入出金機１００に貨幣を搬送する。このとき、一万円札についてはリジェクト部２２４に搬送し、他の貨幣は対応する収納部に搬送する。（例えば、千円札は紙幣収納部１３４に搬送し、五千円札は紙幣収納部１３６に搬送する）。
【００６６】
また、入金練習処理部１０２ｃは、練習モードにおける入金処理において、ＩＣタグ３０４から在高（練習用の貨幣数量データ）を読み出して操作表示部１０４への表示に用いることで、釣銭機２００から回収した貨幣の入金時と同様の表示制御を実現し、練習やデモンストレーションを行わせる。
【００６７】
なお、入金練習処理部１０２ｃは、練習モードにおける入金処理では、ＩＣタグ３０４から読み出した在高と収納カセット３００から繰り出した貨幣との比較を行わず、売上データ１０６ｂへの反映も行わない。ただし、貨幣入出金機１００の在高データ１０６ａは、収納カセット３００から実際に搬送した貨幣の金種及び枚数により更新する。
【００６８】
＜収納カセット３００の構成＞
次に、収納カセット３００の構成について図６を用いて説明する。図６に示すように、収納カセット３００は、略直方体形状のケーシング３０１を有しており、当該ケーシング３０１の内部に紙幣が積層状態で収納される。また、上述したように、収納カセット３００は貨幣入出金機１００のカセット装着部１２６に着脱自在に装着される。
【００６９】
また、収納カセット３００のケーシング３０１の側面には開口３０２が形成されている。収納カセット３００が貨幣入出金機１００のカセット装着部１２６に装着されているときに、貨幣入出金機１００の紙幣処理ユニット１１０に設けられた搬送部１３０は、開口３０２を介して収納カセット３００の内部に紙幣を送ることができる。同様に、収納カセット３００に収納されている紙幣は、開口３０２を介して貨幣入出金機１００の紙幣処理ユニット１１０の搬送部１３０に繰り出すことが可能である。
【００７０】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６に装着されているときに、貨幣入出金機１００の紙幣処理ユニット１１０側から収納カセット３００の紙幣繰出機構に動力が伝達される。
【００７１】
このように、収納カセット３００が貨幣入出金機１００のカセット装着部１２６から取り出された状態では当該収納カセット３００に収納されている紙幣をケーシング３０１の外部に繰り出させることができないため、収納カセット３００に収納されている紙幣のセキュリティ性を向上させることができる。
【００７２】
また、収納カセット３００のケーシング３０１の側面にはＩＣタグ３０４が設けられている。そして、収納カセット３００が貨幣入出金機１００のカセット装着部１２６に装着されているときに、貨幣入出金機１００のカセット装着部１２６に設けられた書込部１２８によりＩＣタグ３０４に様々な情報を書き込んだり、貨幣入出金機１００のカセット装着部１２６に設けられた読取部１２９によりＩＣタグ３０４から様々な情報を読み取ったりすることができるようになっている。具体的には、ＩＣタグ３０４には、収納カセット３００の識別情報、収納カセット３００の種別、練習フラグ、在高などを書き込むことができる。
【００７３】
＜貨幣入出金機の処理＞
次に、貨幣入出金機１００の処理について説明する。図７は、貨幣入出金機１００の出金処理についての説明図である。貨幣入出金機１００は、釣銭機２００に対して実際に釣銭を補充するための出金では、ＩＣタグ３０４の収納カセット種別を「釣銭補充」に設定し、練習フラグを「オフ」に設定する。このとき、ＩＣタグに書き込まれた在高などのデータは、貨幣入出金機１００から収納カセット３００に出金された貨幣との比較検査（チェック）に用いられる。収納カセット３００の実際の在高は、貨幣の出金枚数により定まり、ＩＣタグ３０４に書き込まれた在高も出金枚数により定まるため、収納カセット３００の在高とＩＣタグ３０４の在高は一致することが必要である。また、貨幣入出金機１００から収納カセット３００への出金枚数は、貨幣入出金機１００の在高データ１０６ａに反映される。
【００７４】
一方、練習モードにおける出金練習では、貨幣入出金機１００は、ＩＣタグ３０４の収納カセット種別を「釣銭補充」に設定し、練習フラグを「オン」に設定する。このとき、ＩＣタグに書き込まれた在高などのデータは、練習の管理に用いられる。収納カセット３００の実際の在高は、貨幣の出金枚数により定まるが、ＩＣタグ３０４に書き込む在高は任意に設定することができ、収納カセット３００の在高とＩＣタグ３０４の在高との不一致は許容される。すなわち、練習モードにおいては、ＩＣタグに書き込まれた在高などのデータは練習用データとして用いられる。また、貨幣入出金機１００から収納カセット３００への出金枚数は、貨幣入出金機１００の在高データ１０６ａに反映される。
【００７５】
図８は、貨幣入出金機１００の入金処理についての説明図である。貨幣入出金機１００は、釣銭機２００から実際に回収した売上金の入金では、ＩＣタグ３０４の収納カセット種別は「売上回収」に設定する。このとき、練習フラグは「オフ」であり、ＩＣタグから読み出された在高などのデータは、収納カセット３００から貨幣入出金機１００に入金された貨幣との比較検査（チェック）に用いられる。具体的には、収納カセット３００から入金された貨幣とＩＣタグ３０４の在高とが一致することが必要である。また、収納カセット３００から貨幣入出金機１００への入金枚数は、貨幣入出金機１００の在高データ１０６ａ及び売上データ１０６ｂに反映される。さらに、入金された貨幣のうち、一万円札については回収カセット１４０に搬送し、他の貨幣は対応する収納部に搬送する。
【００７６】
一方、練習モードにおける入金練習では、貨幣入出金機１００は、ＩＣタグ３０４の収納カセット種別を「売上回収」に設定する。このとき、練習フラグは「オン」であることが必要であり、ＩＣタグから読み出された在高などのデータは、操作表示部１０４への表示に用いる。また、収納カセット３００の実際の在高とＩＣタグ３０４の在高との不一致は許容される。すなわち、練習モードにおいては、ＩＣタグに書き込まれた在高などのデータは練習用データとして用いられる。貨幣入出金機１００は、ＩＣタグ３０４から読み出したデータや収納カセット３００から入金した貨幣枚数を売上データ１０６ｂに反映することはなく、収納カセット３００から入金した貨幣枚数を在高データ１０６ａに反映する。さらに、入金された貨幣のうち、一万円札についてはリジェクト部１２４に搬送し、他の貨幣は対応する収納部に搬送する。
【００７７】
図９は、貨幣入出金機１００における練習モードの処理手順を示すフローチャートである。まず、練習操作受付部１０２ａは、操作者による練習開始操作を受け付けて練習モードを開始する（ステップＳ１０１）。練習モードの開始後、出金練習処理部１０２ｂが出金練習処理を実行し（ステップＳ１０２）、入金練習処理部１０２ｃが入金練習処理を実行する（ステップＳ１０３）。その後、練習操作受付部１０２ａが操作者による練習終了操作を受け付けて練習モードにかかる処理を終了する（ステップＳ１０４）。
【００７８】
図１０は、図９に示した出金練習処理の詳細な処理手順を示すフローチャートである。まず、出金練習処理部１０２ｂは、ＩＣタグ３０４の練習フラグを「オン」にセットする（ステップＳ２０１）とともに、収納カセット種別を「釣銭補充」に設定する（ステップＳ２０２）。また、ＩＣタグ３０４の在高を任意の値で設定する（ステップＳ２０３）。その後、貨幣入出金機１００から収納カセット３００に貨幣を搬送し（ステップＳ２０４）、貨幣入出金機１００の在高データ１０６ａを更新して（ステップＳ２０５）、収納カセットの取り外しを許可する（ステップＳ２０６）。ステップＳ２０６の後、出金練習処理部１０２ｂは、出金練習処理を終了し、元の処理に戻る。
【００７９】
図１１は、図９に示した入金練習処理の詳細な処理手順を示すフローチャートである。まず、入金練習処理部１０２ｃは、収納カセット３００の装着を受け付け（ステップＳ３０１）、ＩＣタグ３０４のデータを読み出して練習フラグが「オン」であるか否かを判定する（ステップＳ３０２）。
【００８０】
判定の結果、練習フラグが「オン」でなければ（ステップＳ３０２；Ｎｏ）、入金練習処理部１０２ｃは、エラー出力を行い（ステップＳ３０６）、入金練習処理を終了し、元の処理に戻る。
【００８１】
一方、練習フラグが「オン」であれば（ステップＳ３０２；Ｙｅｓ）、入金練習処理部１０２ｃは、ＩＣタグ３０４から読み出した在高に基づいて操作表示部１０４への制御を行う（ステップＳ３０３）。また、入金練習処理部１０２ｃは、収納カセット３００から貨幣入出金機１００に貨幣を搬送するよう制御する（ステップＳ３０４）。この搬送では、一万円札の搬送先はリジェクト部２２４となり、他の貨幣の搬送先は対応する収納部となる。ステップＳ３０４の後、入金練習処理部１０２ｃは、収納カセット３００から実際に搬送した貨幣の金種及び枚数により貨幣入出金機１００の在高データ１０６ａを更新する（ステップＳ３０５）。ステップＳ３０５の後、入金練習処理部１０２ｃは、入金練習処理を終了し、元の処理に戻る。
【００８２】
図１２は、練習モードにおける操作表示部１０４の表示画面についての説明図である。図１２（ａ）は、出金練習における操作表示部１０４の表示画面の具体例を示している。図１２（ａ）の表示画面では、「出金練習中です」とのメッセージと、出金する貨幣の金種及び枚数と、出金合計金額とを表示している。具体的には、五千円紙幣５枚と千円紙幣５枚を出金し、出金合計金額は「３０，０００円」となっている。これらの表示は、ＩＣタグ３０４に書き込む在高（練習用の貨幣数量データ）に基づいており、実際に収納カセット３００に出金する貨幣と一致する必要は無い。
【００８３】
図１２（ｂ）は、入金練習における操作表示部１０４の表示画面の具体例を示している。図１２（ｂ）の表示画面では、「入金練習中です」とのメッセージと、「手入力」ボタンと、「練習終了」ボタンと、総合計と、伝票計とを表示している。「手入力」ボタンは、総合計の値を操作者が入力する場合に用いる。「練習終了」ボタンは、練習モードを終了する場合に用いる。
【００８４】
総合計とは、収納カセット３００から入金した貨幣の金額の合計である。伝票計とは、釣銭機２００における売上金の合計である。釣銭機２００に釣銭準備金を残置して売上金を回収する場合は、残置分により総合計と伝票計とが乖離することになる。図１２（ｂ）では、総合計と伝票計の双方が「２７０，０００円」の状態を示している。これらの表示は、ＩＣタグ３０４から読み出した在高（練習用の貨幣数量データ）に基づいており、実際に収納カセット３００から入金した貨幣と一致する必要は無い。
【００８５】
図９〜図１２の説明では、練習モードの開始後、出金練習処理を行ってから連続して入金練習処理を行う場合を示した。このように、出金練習処理と入金練習処理とを連続して行えば、出金練習処理で取り外された収納カセットをそのまま入金練習処理に用いることができる。しかしながら、出金練習処理と入金練習処理とは必ずしも連続して行う必要はなく、独立して行うことも可能である。
【００８６】
出金練習処理を独立して行った場合には、後処理として収納カセット３００を再び貨幣入出金機１００に装着し、貨幣を全て取り込むとともに、ＩＣタグ３０４をクリアすればよい。また、入金練習処理を独立して行う場合には、予め練習用の収納カセット３００を用意すればよい。具体的には、ＩＣタグ３０４の練習フラグを「オン」に設定し、ＩＣタグ３０４の在高を任意の値に設定し、必要に応じて貨幣を収納カセット３００に搬送することで、練習用の収納カセットを用意することができる。
【００８７】
また、入金や出金の練習時に意図的にエラーを発生させ、エラーの対処を練習することも可能である。このエラーの対処では、例えば貨幣を搬送途中で停止させ、かかる貨幣を操作者が取り出してエラーを解除する手順等を練習することができる。練習用の収納カセット３００に実際に収納する貨幣は、このエラー対処の練習に用いられる。また、包装硬貨の入金や出金の練習も可能である。
【００８８】
このように多様な練習を可能とする場合には、練習開始操作を受け付けた場合に操作表示部１０４に練習メニューを表示し、操作者に所望の練習内容を選択させればよい。図１３は、練習メニュー画面の具体例である。図１３に示した練習メニュー画面では、「入金練習」、「出金練習」、「入金エラー体験」、「出金エラー体験」、「入金練習（包装硬貨あり）」、「出金練習（包装硬貨あり）」に対応する操作ボタンが表示されており、いずれかの操作ボタンが操作された場合に、対応する練習が開始される。
【００８９】
上述してきたように、本実施例１では、貨幣の入出金が可能な貨幣処理装置である貨幣入出金機１００は、操作者による操作の受付及び所定の表示を行う操作表示部１０４を備え、操作表示部１０４から練習用貨幣出金操作を受け付けた場合に、該練習用貨幣出金操作に含まれる出金情報に基づいて所定の練習用データを更新し、操作表示部１０４から練習用貨幣入金操作を受け付けた場合に、少なくとも練習用データに基づいて操作表示部１０４の表示制御を行う。このため、操作者に対して貨幣の入出金に関する練習を効率良く行わせることができる。
【００９０】
また、本実施例１では、貨幣入出金機１００は、カセット装着部１２６に貨幣カセットである収納カセット３００を着脱可能であり、収納カセット３００に付設された記憶媒体であるＩＣタグ３０４に格納された在高などのデータを練習用データとして用いることができる。また、貨幣入出金機１００は、収納カセット３００との間で実際に搬送を行った貨幣とは無関係に練習用データの更新や利用を可能としている。
【００９１】
なお、入金の練習時には、貨幣の搬送先を適宜変更することができる。具体的には、一万円札についてはリジェクト部２２４に搬送し、他の貨幣は対応する収納部に搬送する。通常の入金時は一万円札を回収カセット１４０に搬送するが、回収カセット１４０に収納された貨幣は警送会社等の管理対象となり、店舗の操作者が取り出すことができなくなるからである。
【００９２】
また、貨幣入出金機１００は、練習に係る入出金については、売上データ１０６ｂへの反映を行わないため、売上の管理に影響を与えることがない。ただし、在高データ１０６ａについては練習時にも実際の貨幣の搬送に応じて更新することで、正確に管理を行う。
【実施例２】
【００９３】
実施例１では、貨幣入出金機１００単体で入出金の練習を行う場合を例に説明を行ったが、本発明は、貨幣入出金機１００と釣銭機２００とを連携させて入出金の練習を行うことを妨げるものではない。
【００９４】
図１４は、貨幣入出金機１００と釣銭機２００とを連携させて入出金の練習を行う場合についての説明図である。図１４に示した構成では、店舗に複数のＰＯＳレジスタ２９０が設置されている。また、複数のＰＯＳレジスタ２９０のうち１台に貨幣入出金機１００が接続され、他のＰＯＳレジスタ２９０には釣銭機２００が接続されている。
【００９５】
図１４に示した構成では、貨幣入出金機１００は、ＰＯＳレジスタ２９０に接続されて、釣銭機２００としての機能（顧客から渡された貨幣の入金と釣銭の出金）を有し、さらに、他の釣銭機２００から回収された売上金の入金処理と、他の釣銭機２００に補充されるべき釣銭準備金の出金処理を行う。そして、貨幣入出金機１００と釣銭機２００との間での貨幣の受け渡しは、収納カセット３００を介して行われる。
【００９６】
かかる構成では、例えば、貨幣入出金機１００の出金練習により取り外された収納カセット３００を釣銭機２００に装着して釣銭機２００の入金練習を行うことができる。同様に、釣銭機２００の出金練習により取り外された収納カセット３００を貨幣入出金機１００に装着して貨幣入出金機１００の入金練習を行うことができる。
【００９７】
このように、貨幣入出金機１００と釣銭機２００を連携させて入出金の練習を行えば、実際の店舗での作業により近い状態で練習を行うことができる。また、貨幣入出金機１００と釣銭機２００を連携させて入出金の練習を行う場合であっても、実施例１と同様に、収納カセット３００に実際に収納した貨幣とＩＣタグ３０４に書き込んだ貨幣の数量との不一致を許容するとともに、売上管理用のデータへの影響を排除することができる。
【００９８】
なお、貨幣入出金機１００と釣銭機２００を連携させて入出金の練習を行う場合には、装着された収納カセット３００の練習フラグが「オン」であることを条件に練習モードを開始する構成としてもよい。
【００９９】
例えば、貨幣入出金機１００に対して練習開始操作を行うことで貨幣入出金機１００の練習モードを開始し、出金練習を行って取り外した収納カセット３００は、練習フラグが「オン」に設定されている。この収納カセット３００を釣銭機２００に装着すれば、練習フラグを読み取った釣銭機２００が自動的に練習モードを開始し、釣銭機２００に対する練習開始操作を行わずとも入金練習が可能となる。
【０１００】
＜釣銭機２００の構成＞
次に、釣銭機２００の詳細な構成について図１５〜図１８を用いて説明する。図１５等に示すように、釣銭機２００は、上下に並ぶよう配置された硬貨処理ユニット２５０及び包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、包装硬貨収納ユニット２８０は、各金種の包装硬貨を取り出し可能に収納する。また、ＰＯＳレジスタ２９０は、釣銭機２００の管理を行う管理装置として用いられる。
【０１０１】
まず、紙幣処理ユニット２１０の構成について図１５及び図１６を用いて具体的に説明する。図１５及び図１６に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図１６において、筐体２１２の右側の側面が紙幣処理ユニット２１０の手前側の面であり、図１６における左向きの方向が紙幣処理ユニット２１０の奥行き方向である。
【０１０２】
図１６に示すように、搬送部２３０は、筐体２１２の中央位置に配置された周回搬送部２３０ａ及び複数の接続搬送部２３０ｂから構成されている。また、紙幣受入部２２０、紙幣払出部２２２、リジェクト部２２４、収納カセット３００を着脱自在に装着可能なカセット装着部２２６及び３つの紙幣収納部２３４、２３６、２３８が、それぞれ周回搬送部２３０ａを取り囲むよう配置されている。
【０１０３】
また、図１６に示すように、複数の接続搬送部２３０ｂの各々により、紙幣受入部２２０、紙幣払出部２２２、リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【０１０４】
周回搬送部２３０ａは、図１６における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【０１０５】
図１５及び図１６に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセット３００をカセット装着部２２６に装着させたり、このカセット装着部２２６から収納カセット３００を取り出したりすることができる。
【０１０６】
また、図１８に示すように、カセット装着部２２６には、当該カセット装着部２２６に装着された収納カセット３００に設けられているＩＣタグ３０４に様々な情報を書き込む書込部２２８及び当該ＩＣタグ３０４から様々な情報を読み取る読取部２２９がそれぞれ設けられている。
【０１０７】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【０１０８】
紙幣払出部２２２は、各紙幣収納部２３４、２３６、２３８から周回搬送部２３０ａに繰り出された紙幣を紙幣取出口２２２ａにより筐体２１２の外部へ放出するよう構成されている。
【０１０９】
リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２０から筐体２１２の内部に取り込まれた紙幣のうち、入金処理時において汚損等により識別部２３２で識別することができない紙幣は、入金リジェクト紙幣として紙幣払出部２２２に返却される。
【０１１０】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には五千円札が収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【０１１１】
次に、硬貨処理ユニット２５０の構成について説明する。図１５及び図１７に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【０１１２】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図１８参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図１７に示すように、硬貨受入部２５２には、当該硬貨受入部２５２により筐体２５１の内部に繰り出された硬貨を搬送する入金搬送部２５４が接続されている。
【０１１３】
図１７に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【０１１４】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図１７における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【０１１５】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【０１１６】
＜ＰＯＳレジスタの構成＞
次に、ＰＯＳレジスタ２９０の構成について具体的に説明する。図１５及び図１８に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【０１１７】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【０１１８】
また、ＰＯＳレジスタ２９０には、カードリーダ２９６及び印字部２９７が設けられている（図１８参照、図１５では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【０１１９】
＜釣銭機２００の制御系の構成＞
次に、釣銭機２００の制御系の構成について図１８を用いて説明する。図１８に示すように、硬貨処理ユニット２５０は、上位制御部２０２及び硬貨制御部２５０ａを有しており、これらの上位制御部２０２及び硬貨制御部２５０ａは互いに接続されている。
【０１２０】
また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【０１２１】
図１８に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、操作表示部２０４、練習操作受付部２０５、出金練習処理部２０６、入金練習処理部２０７及び記憶部２０８がそれぞれ接続されている。
【０１２２】
この上位制御部２０２は、通信部２０３により、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【０１２３】
操作表示部２０４は、硬貨処理ユニット２５０の筐体２５１の上面に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【０１２４】
練習操作受付部２０５、出金練習処理部２０６及び入金練習処理部２０７は、それぞれ図５に示した練習操作受付部１０２ａ、出金練習処理部１０２ｂ及び入金練習処理部１０２ｃに対応し、練習開始操作と練習終了操作の受付、練習モードにおける出金処理及び練習モードにおける入金処理を行う。
【０１２５】
記憶部２０８には、紙幣処理ユニット２１０、硬貨処理ユニット２５０及び包装硬貨収納ユニット２８０の各々に収納されている貨幣の在高に係る情報や、釣銭機２００における貨幣の処理履歴等の様々な情報が記憶される。
【０１２６】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、収納カセット３００に設けられたＩＣタグ３０４から読取部２２９により読み取られた情報が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【０１２７】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【０１２８】
また、包装硬貨収納ユニット２８０の包装硬貨制御部２８０ａには、通信部２８９、検知部２８４、ロック機構２８６及び記憶部２８８等が接続されており、検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。
【０１２９】
検知部２８４は、光センサ等により包装硬貨収納ユニット２８０に収納されている包装硬貨の金種毎の本数を検知する。ロック機構２８６は、包装硬貨収納ユニット２８０の収納ドロアが筐体２８１に完全に収容されたときに当該収納ドロアを筐体２８１内にロックする機構である。ロック機構２８６が収納ドロアを筐体２８１の内部にロックしたときには、この収納ドロアを筐体２８１から手前側に引き出すことができなくなり、よって収納ドロア２８２から包装硬貨を取り出すことができなくなる。
【０１３０】
また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【０１３１】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【０１３２】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【０１３３】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【０１３４】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【０１３５】
上述してきたように、本実施例２に係る貨幣処理システムでは、貨幣入出金機１００と釣銭機２００を連携させて入出金の練習を行うことで、実際の店舗での作業により近い状態で効率的な練習を行うことができる。また、貨幣入出金機１００と釣銭機２００を連携させて入出金の練習を行う場合であっても、実施例１と同様に、収納カセット３００に実際に収納した貨幣とＩＣタグ３０４に書き込んだ貨幣の数量との不一致を許容するとともに、売上管理用のデータへの影響を排除することができる。
【０１３６】
なお、上記の実施例では、出金の練習時に収納カセット３００に所定数の貨幣を搬送し、入金の練習時に収納カセット３００から所定数の貨幣を搬送する構成について説明を行ったが、この所定数は「０」でもよい。すなわち、出金の練習時には収納カセット３００に貨幣を搬送することなくＩＣタグ３０４の練習用データを更新し、入金の練習時には収納カセット３００から貨幣を搬送することなくＩＣタグ３０４から練習用データを読み出すよう構成してもよい。
【０１３７】
また、上記の実施例では、収納カセット３００に付設されたＩＣタグ３０４を記憶媒体として用い、ＩＣタグ３０４に格納された貨幣の在高を練習用データとして用いる場合を例に説明を行ったが、貨幣入出金機１００の記憶部に練習用データを格納して更新や読み出しを行う構成としてもよい。
【０１３８】
また、上記の実施例では、貨幣入出金機１００を中心に説明を行ったが、釣銭機２００やＡＴＭ等の他の貨幣処理装置であっても、本発明を適用することで操作者に対して貨幣の入出金に関する練習を効率良く行わせることができる。
【産業上の利用可能性】
【０１３９】
本発明の貨幣処理装置、貨幣処理システム及び貨幣処理方法は、操作者に対して貨幣の入出金に関する練習を効率良く行わせることに有用である。
【符号の説明】
【０１４０】
１００  貨幣入出金機
１０１、２１２  筐体
１０２  制御部
１０２ａ、２０５  練習操作受付部
１０２ｂ、２０６  出金練習処理部
１０２ｃ、２０７  入金練習処理部
１０４、２０４  操作表示部
１０５、２０３、２４０  通信部
１０６、２０８、２８８、２９５  記憶部
１０６ａ  在高データ
１０６ｂ  売上データ
１０６ｃ  練習用売上データ
１１０、２１０  紙幣処理ユニット
１２０、２２０  紙幣受入部
１２０ａ、２２０ａ  紙幣受入口
１２１、２２１，  紙幣繰出機構
１２２、２２２  紙幣払出部
１２２ａ、２２２ａ  紙幣取出口
１２４、２２４  リジェクト部
１２６、２２６  カセット装着部
１２６ａ、１４０ａ、１７０ａ  扉
１２８、２２８  書込部
１２９、２２９  読取部
１３０、２３０  搬送部
１３０ａ、２３０ａ  周回搬送部
１３０ｂ、２３０ｂ  接続搬送部
１３２、１５６，２３２、２５６  識別部
１３４、１３６、２３４、２３６、２３８  紙幣収納部
１３５、１３７、２３５、２３７、２３９  紙幣繰出機構
１４０、１７０  回収カセット
１５０、２５０  硬貨処理ユニット
１５２、２５２  硬貨受入部
１５３、２５３  硬貨繰出機構
１５４、２５４  入金搬送部
１５８  第１分岐部
１６０、２６０  収納繰出部
１６２、２６２  出金搬送部
１６４  第２分岐部
１６６、２６６  硬貨払出部
１８０、２８０  包装硬貨収納ユニット
２００  釣銭機
２０２  上位制御部
２０３、２８９、２９２  通信部
２０４  操作表示部
２１０ａ  紙幣制御部
２５０ａ  硬貨制御部
２５８    分岐部
２８０ａ  包装硬貨制御部
２８４    検知部
２８６    ロック機構
２９０    ＰＯＳレジスタ
２９１    ＰＯＳ制御部
２９３    表示部
２９４    操作部
２９５    記憶部
２９６    カードリーダ
２９７    印字部
３００    収納カセット
３０１    ケーシング
３０２    開口
３０４    ＩＣタグ
【図１】
2019049775.tif 000003
【図２】
2019049775.tif 000004
【図３】
2019049775.tif 000005
【図４】
2019049775.tif 000006
【図５】
2019049775.tif 000007
【図６】
2019049775.tif 000008
【図７】
2019049775.tif 000009
【図８】
2019049775.tif 000010
【図９】
2019049775.tif 000011
【図１０】
2019049775.tif 000012
【図１１】
2019049775.tif 000013
【図１２】
2019049775.tif 000014
【図１３】
2019049775.tif 000015
【図１４】
2019049775.tif 000016
【図１５】
2019049775.tif 000017
【図１６】
2019049775.tif 000018
【図１７】
2019049775.tif 000019
【図１８】
2019049775.tif 000020